(57)【特許請求の範囲】
【請求項１】
電子機器に組み込まれるＩＣカードの挿脱装置であって、ハウジンクとこれに被せられるカバーを有し、前記ハウジンクは概略コ字型のフレーム部分とその補強用の底面からなり、前記フレーム部分の対向する両長手方向フレーム部の内側には、ＩＣカード用のガイド溝を設け、前記両長手方向フレーム部に直交する底フレーム部にはＩＣカード用のコンタクトを配列し、かつ、前記一方の長手方向フレーム部には、その長さが当該長手方向フレーム部の長さのほぼ半分程度で、かつ、当該長手方向フレーム部上面側で当該長手方向フレーム部部分の中ほどから前記底フレーム部に掛けての凹みスペース部分に摺動可能に収納されて、ＩＣカードの挿脱によりＩＣカードと同方向に進退移動するスライダと、前記スライダのカード挿入口側（手前側）に突出フックを設けるとともに長手方向のフレーム部のカード挿入口側（手前側）の凹み溝の端部に突出フックを設け、このスライダのカード挿入口側と前記一方の長手方向フレーム部のカード挿入口側間に設けられ、前記突出フックに埋設状に引っ掛かるとともに当該スライダを常時前記ＩＣカード用のガイド溝のカード挿入口側に附勢する附勢手段と、前記スライダの上面に設けられ、前記スライダの一部と一体になった概略ハート形状のカム溝と、このカム溝にその遊端が前記スライダの上面側から係合されると共に、その他端が前記底フレーム部側にその上面側から前記底フレーム部分の凹み溝に埋設状に固定される摺動自在のバネピンとを備えたＩＣカード用のロック及び再押圧によるエジェクト機構を組み込み、また、前記他方の長手方向フレーム部のＩＣカード用のガイド溝には弾性的に突出してＩＣカードの側面を押圧する２部材からなる弾性押圧片を有するバネ金具組み込み、前記バネ金具の一方の前記弾性押圧片に対し、他方のバネ金具の一方の弾性押圧片部分を外側から当接させることを特徴とするＩＣカート゛の挿脱装置。
【請求項２】
前記スライダには、ＩＣカードのコーナー傾斜部が当接する斜面部が設けてあることを特徴とする請求項１記載のＩＣカードの挿脱装置。
【請求項３】
前記スライダを、前記長手方向フレーム部に設けたガイドロッド部に摺動させることを特徴とする請求項１又は２記載のＩＣカードの挿脱装置。
【請求項４】
前記カバーの一部に、ＩＣカードの表面を押圧する弾性押圧片を設けたことを特徴とする請求項１、２又は３記載のＩＣカードの挿脱装置。
【発明の詳細な説明】
【０００１】
【発明の属する技術分野】
本発明は、電子機器に組み込まれて、ＩＣカードが着脱自在に挿入されるＩＣカードの挿脱装置に関するものである。
【０００２】
【従来の技術】
この種の挿脱装置では、情報媒体であるＩＣカードは、当然差し込み後の使用中には、その状態が保持（ロック）され、使用後は、適宜抜き取れる（エジェクトされる）ことが必要とされる。
【０００３】
このため、従来、ＩＣカードを、その後端側を一部突出させた形で、挿脱装置に差し込み、エジェクト時には、この突出する後端側を摘んで抜き取る方法や、挿脱装置のＩＣカード用のカード挿入口付近にエジェクト釦などを設ける方法、さらには、ＩＣカードの差し込まれたロック状態から再押圧することによりエジェクトする方法などが既に提案されている。
【０００４】
【発明が解決しようとする課題】
ところが、上記ＩＣカードの後端側を一部突出させる方法では、カード後端側に不必要な外力が加わったりする恐れがあり、また、ユーザーの抜き取り時、その力にバラツキがあるため、カード損傷の原因となるという問題点があった。
【０００５】
一方、エジェクト釦などによる方法では、常に一定の力でエジェクトされる利点はあるものの、カード挿入口付近にエジェクト釦などを設けるスペースが必要とされるという問題点があった。つまり、省スペース化に不向きであった。
【０００６】
この点、ＩＣカードのロック状態からの再押圧によりエジェクトする方法にあっては、上記２例に比較して、優れた方法と言えるが、既提案のものにあっては、以下に示すように、なお改善すべき点があった。
【０００７】
例えば、この種のものとして、図８に示すようなものがある（特開２０００−２５１０２５号）。この装置は、ベースとなるハウジング１０とこれに被せられるカバー２０とからなり、これらによって、ＩＣカード１の収納部を形成する一方、ハウジング１０の一方の側方（図中右上側）に、ＩＣカード用のロック及びエジェクト機構３０として、長尺な構造体からなるカードプッシャー３１、これをカード挿入口側（図中手前側）に常時押圧するバネ３２、ハウジング１０の底面側に刻設されたハートカム３３、及びカードプッシャー３１の底面側にその一端が固着されると共に、他方の遊端がハートカム３３に係合される揺動アーム３４からなる機構が設けてある。
したがって、この装置では、ＩＣカード１を差し込み、ロックさせた後、再押圧すれば、ハートカム３３と揺動アーム３４との係合関係によって、ＩＣカード１を容易にエジェクトすることができる。
【０００８】
しかしながら、この装置の場合、カードプッシャー３１は、ハートカム３３の範囲内でしか移動しない構造である割りには、長尺な構造体で構成され、部品の大型化を招いていること、揺動アーム３４がカードプッシャー３１の底面側とハウジング１０の底面側に挟まれる構成であるため、組み付け難く、また、組み付け後は目視できない構成であること、ハートカム３３はハウジング１０の底面側に構成する必要があるため、小部品として提供し難いいこと、また、ＩＣカード１の収納部の一部（図中左下側）は、カバー２０の折り返し片２１部分で構成されるため、ＩＣカード１を安定して保持するには、高い製造精度が要求されることなどの問題点があった。
【０００９】
本発明は、このような従来の実情に鑑みてなされたもので、使用部品の小型化、簡素化を図り、また、ＩＣカードにあっても、安定して保持される優れたＩＣカードの挿脱装置を提供せんとするものである。
【００１０】
【課題を解決するための手段】
請求項１記載の本発明は、電子機器に組み込まれるＩＣカードの挿脱装置であって、ハウジンクとこれに被せられるカバーを有し、前記ハウジンクは概略コ字型のフレーム部分とその補強用の底面からなり、前記フレーム部分の対向する両長手方向フレーム部の内側には、ＩＣカード用のガイド溝を設け、前記両長手方向フレーム部に直交する底フレーム部にはＩＣカード用のコンタクトを配列し、かつ、前記一方の長手方向フレーム部には、その長さが当該長手方向フレーム部の長さのほぼ半分程度で、かつ、当該長手方向フレーム部上面側で当該長手方向フレーム部部分の中ほどから前記底フレーム部に掛けての凹みスペース部分に摺動可能に収納されて、ＩＣカードの挿脱によりＩＣカードと同方向に進退移動するスライダと、前記スライダのカード挿入口側（手前側）に突出フックを設けるとともに長手方向のフレーム部のカード挿入口側（手前側）の凹み溝の端部に突出フックを設け、このスライダのカード挿入口側と前記一方の長手方向フレーム部のカード挿入口側間に設けられ、前記突出フックに埋設状に引っ掛かるとともに当該スライダを常時前記ＩＣカード用のガイド溝のカード挿入口側に附勢する附勢手段と、前記スライダの上面に設けられ、前記スライダの一部と一体になった概略ハート形状のカム溝と、このカム溝にその遊端が前記スライダの上面側から係合されると共に、その他端が前記底フレーム部側にその上面側から前記底フレーム部分の凹み溝に埋設状に固定される摺動自在のバネピンとを備えたＩＣカード用のロック及び再押圧によるエジェクト機構を組み込み、また、前記他方の長手方向フレーム部のＩＣカード用のガイド溝には弾性的に突出してＩＣカードの側面を押圧する２部材からなる弾性押圧片を有するバネ金具組み込み、前記バネ金具の一方の前記弾性押圧片に対し、他方のバネ金具の一方の弾性押圧片部分を外側から当接させることを特徴とするＩＣカート゛の挿脱装置にある。
【００１１】
請求項２記載の本発明は、前記スライダには、ＩＣカードのコーナー傾斜部が当接する斜面部が設けてあることを特徴とする請求項１記載のＩＣカードの挿脱装置にある。
【００１２】
請求項３記載の本発明は、前記スライダを、前記長手方向フレーム部に設けたガイドロッド部に摺動させることを特徴とする請求項１又は２記載のＩＣカードの挿脱装置にある。
【００１３】
請求項４記載の本発明は、前記カバーの一部に、ＩＣカードの表面を押圧する弾性押圧片を設けたことを特徴とする請求項１、２又は３記載のＩＣカードの挿脱装置にある。
【００１４】
【発明の実施の形態】
図１〜図２は本発明に係るＩＣカードの挿脱装置の一実施例を示し、図３はこの装置に使用されるスライダを示し、図４〜図７はそのロック及びエジェクト機構の動作状態を示したものである。図中、１００はハウジンク、２００は被せられるカバーである。
【００１５】
ハウジンク１００は、概略コ字型のフレーム部分１１０とその補強用の底面１２０からなり、例えば樹脂成形品として形成される。なお、補強用の底面１２０は、図示のように、カード挿入口側を大きく切り欠いた構成でもよく、全面を塞ぐ構成であってもよい。また、上記フレーム部分１１０の対向する両長手方向フレーム部１１１ａ，１１１ｂの内側には、ＩＣカード用のガイド溝１１３，１１３を設け、ＩＣカード用の収納部とする一方、両長手方向フレーム部１１１ａ，１１１ｂに直交する底フレーム部１１１ｃには、ＩＣカードに接続される複数のコンタクト１３０を配列する。
【００１６】
また、上記一方（図中左上側）の長手方向フレーム部１１１ａには、ＩＣカード１の挿脱によりＩＣカード１と同方向に進退移動するスライダ３１０と、このスライダ３１０を常時ＩＣカード用のガイド溝１１３のカード挿入口側に附勢するコイルスプリングなどの附勢手段３２０と、スライダ３１０に設けた概略ハート形状のカム溝３３０と、このカム溝３３０にその遊端が係合されると共に、その他端が底フレーム部１１１ｃ側に固定される揺動自在のバネピン３４０とを備えたＩＣカード用のロック及びエジェクト機構３００を組み込んである。
【００１７】
上記スライダ３１０は、図１から明らかな如く、長手方向フレーム部１１１ａのほぼ半分程度の長さで、小型化され、フレーム部１１１ａ部分の中ほどから底フレーム部１１１ｃに掛けての凹みスペース部分１１４に摺動可能に収納されている。この摺動は、フレーム部１１１ａ部分の内側（図１中手前側）に設けたガイドロッド部１１４ａを、スライダ３１０の底面側縁部に設けたレール溝３１１に滑合させて行う。これにより、スムーズな摺動が確保される。
【００１８】
このスライダ３１０の手前側（図１中左側）には、突出フック３１２が形成され、これには、附勢手段３２０であるコイルスプリングの一端が引っ掛けられる。また、このコイルスプリングの他端は、長手方向フレーム部１１１ａの手前側（図１中左側）の凹み溝１１５の端部に設けた突出フック１１５ａに引っ掛けられる。したがって、比較的大きなコイルスプリングであっても、全体として、薄手のフレーム部１１１ａ部分に埋設状にスムーズに装着できる。
【００１９】
このスライダ３１０の先端寄りの内側（図１中手前側）には、膨出部３１３を形成すると共に、この膨出部３１３のカード挿入口側には、ＩＣカード１のコーナー傾斜部１ａが当接する斜面部３１３ａが設けてある。
これにより、ＩＣカード１が、ハウジンク１００内に差し込まれると、ＩＣカード１のコーナー傾斜部１ａがこの斜面部３１３ａに当接するため、スライダ３１０は、附勢手段３２０の弾性収縮力に抗して、前進することになる。
【００２０】
上記概略ハート形状のカム溝３３０は、図３に示す如く、本例では、スライダ３１０の一部に一体化した形で設けてある。これにより、両部品のより一層の小型化、高密度収納化が図られる。このカム溝３３０に係合されるバネピン３４０の遊端３４１側は、より詳しくは後述するが、ＩＣカード１の挿入、ロック、再押圧によるエジェクト（ロック解除）に掛けて、図中矢印方向を移動する。
このとき、所定の箇所に確実に止まり、また、その感触や音がユーザー側に伝わるようにするには、遊端３４１の先端が落ち込む形のクリック穴３３１を適宜設けとよい。なお、カム溝３３０とスライダ３１０は、別体として構成し、組み付け時結合させることも可能である。
【００２１】
上記バネピン３４０の他端３４２は、底フレーム部１１１ｃ部分の凹み溝１１６に埋設状に固着される。このバネピン３４０の装着は、スライダ３１０を組み付けた後、図１に示すような、上方側から落とし込み形で行えるため、極めて簡単に行える。しかも、その取り付け状態が確実に黙視できるため、その確認がし易い。さらに、全体として、バネピン３４０は、埋設状に装着されるため、他の部分の邪魔となることもない。
【００２２】
一方、上記概略コ字型のフレーム部分１１０の他方の長手方向フレーム部１１１ｂ部分には、側面に形成されたスリット状の係合部１１７に、例えば、２部材からなるバネ金具４１０，４２０を組み込んである。そして、一方のバネ金具４１０の弾性押圧片４１１は、フレーム部１１１ｂ部分のほぼ中央部分に開口させた開口部１１８から、ＩＣカード用のガイド溝１１３に弾性的に突出させてある。さらに、この弾性押圧片４１１に対しては、他方のバネ金具４２０の一方の弾性押圧片４２１部分を外側から当接させてある。これにより、より柔軟な弾性力が弾性押圧片４１１に付与される。もちろん、他方のバネ金具４２０を省略して、一方のバネ金具４１０のみで対応させることも可能である。
【００２３】
これによって、ハウジンク１００に差し込まれたＩＣカード１は、その側面が、この長手方向フレーム部１１１ｂ部分のガイド溝１１３内において、上記両バネ金具４１０，４２０により、弾性的に押圧され、安定して保持される。
また、バネ金具４１０，４２０の採用により、対向する両長手方向フレーム部１１１ａ，１１１ｂのガイド溝１１３，１１３間の間隔にある程度の余裕を持たせることができるため、製造精度上の余裕も得られる。つまり、歩留りの向上が期待できる。また、ユーザー側から見ても、ガイド溝１１３，１１３間の間隔に余裕があると、カード挿入口が広いことを意味し、カード挿入が楽になるため、良好な使い勝手が得られる。
【００２４】
また、より好ましくは、図１の右下方に示すように、やはり弾性押圧片４３１を有するバネ金具４３０も用意し、これを、長手方向フレーム部１１１ｂ部分の基部寄りに組み込み（図示省略）、その弾性押圧片４３１を、ガイド溝１１３内に突出させることもできる。そうすれば、ハウジンク１００に差し込まれたＩＣカード１は、上記バネ金具４１０の弾性押圧片４１１と共に、２箇所で、弾性的に押圧されるため、より安定した保持が確保される。
【００２５】
また、上記カバー２００の一部、より好ましくは、図１に示すように、長手方向フレーム部１１１ａの手前側（図１中左上側）に対応する部分に、ＩＣカード１の表面を押圧する弾性押圧片２１０を下向きに設けるとよい。これによって、ＩＣカード１の浮き上がりが阻止される。また、この弾性押圧片２１０は、上記バネ金具４１０，４３０の弾性押圧片４１１，４３１から離れたほぼ対向する位置にあるため、それぞれの作用が丁度よくバランスされ、ＩＣカード１は、ガタ付いたり、浮き上がりることなく、極めて安定して保持される。
【００２６】
次に、このようにして構成される挿脱装置における、ＩＣカード１の挿脱について説明する。もちろん、挿脱装置は電子機器の所定の部分に組み込む。
この状態で、例えば、図２に示すように、ＩＣカード１を、コーナー傾斜部１ａがある方を先端にして、ハウジンク１００の対向するガイド溝１１３，１１３間のカード挿入口に差し込む。
【００２７】
そうすると、図４に示すように、先ず、ＩＣカード１のコーナー傾斜部１ａが、スライダ３１０の斜面部３１３ａに当接する。なお、この状態（フリー状態）では、スライダ３１０は、コイルスプリング３２０の弾性収縮力により、図中最も下方に位置し、また、バネピン３４０は、図中ほぼ鉛直に保持されている。
【００２８】
この状態から、さらに、ＩＣカード１を押圧すると、図５に示すように、スライダ３１０は、図中上方に押し上げられると共に、バネピン３４０の遊端３４１は、カム溝３３０の図中右側の経路に進み、右下部分のクリック穴３３１に落ち込み、一時的にロックされる。このとき、ユーザーには、クリック穴３３１への落ち込みの感触や音により、体感される。
【００２９】
しかし、この押圧状態では、バネピン３４０の遊端３４１側が、図中右側に無理な形で曲げられているため、そのバネ力によって、図６に示すように、図中左側に自動的に復帰し、カム溝３３０の頂部に嵌合して、ロックされる。
これが、使用状態におけるロックで、ＩＣカード１と電子機器間で所望のデータなどのやり取りが行われる。なお、この使用状態では、バネピン３４０の遊端３４１がカム溝３３０の頂部に移動した分だけ、スライダ３１０が図中下方に引き戻されるため、ＩＣカード１の先端と底フレーム部１１１ｃの内壁面間には、エジェクト分だけの移動スペース（隙間）ができる。
【００３０】
そこで、上記ＩＣカード１の使用状態から、ユーザーが、ＩＣカード１の後端を再押圧すれば、図７に示すように、バネピン３４０の遊端３４１がカム溝３３０の頂部から移動し、図中左側に進むと同時に、まだ、この状態でも、図中右側にバネピン３４０は、少々曲げられているため、そのバネ力によって、さらに、図中の最左端側に進む。このようにして、一旦最左端側にバネピン３４０の遊端３４１が移動すると、この遊端３４１が左側の経路に入るため、スライダ３１０自体がコイルスプリング３２０の弾性収縮力により、図中下方に引き戻され、上記図４に示した状態に戻る。これが、ＩＣカード１のエジェクトである。
これにより、ＩＣカード１の後端側はカード挿入口より少々突出する。したがって、ユーザーは、この後端側を摘んで、ＩＣカード１を抜き取ればよい。
【００３１】
【発明の効果】
以上の説明から明らかなように、本発明に係るＩＣカードの挿脱装置によると、使用部品の小型化、簡素化が図られているため、コストダウンが期待できる。例えば、ロック及びエジェクト機構におけるスライダの長手方向の短縮化やカム溝との接合形態が挙げられる。また、これにより、高密度収納化が得られ、装置全体の薄型化も図られている。
【００３２】
また、スライダには、ＩＣカードのコーナー傾斜部が当接する斜面部が設けてあるため、ＩＣカードの挿入により、ロック及びエジェクト機構がほぼ自動的に動作する。これにより、良好な使い勝手が得られる。
【００３３】
また、スライダを、長手方向フレーム部に設けたガイドロッド部に摺動させる場合、簡単な構成で、スライダを安定して摺動させることができる。
【００３４】
また、ＩＣカード用のロック及びエジェクト機構の組み込まれていない長手方向フレーム部に、そのＩＣカード用のガイド溝に弾性的に突出してＩＣカードの側面を押圧する弾性押圧片を有するバネ金具を組み込めば、安定したＩＣカードの保持が得られる。
【００３５】
また、カバーの一部に、ＩＣカードの表面を押圧する弾性押圧片を設ければ、ＩＣカードの浮き上がりが阻止されるため、上記バネ金具との相乗作用もあって、より安定したＩＣカードの保持が得られる。
【図面の簡単な説明】
【図１】  本発明に係るＩＣカードの挿脱装置の全体を示した分解斜視図である。
【図２】  図１の挿脱装置におけるカバーそ装着されたハウジンクとＩＣカードを示した斜視図である。
【図３】  図１の挿脱装置におけるスライダの拡大平面図である。
【図４】  図１の挿脱装置におけるロック及びエジェクト機構のフリー状態を示した拡大平面図である。
【図５】  図１の挿脱装置におけるロック及びエジェクト機構のカード挿入時を示した拡大平面図である。
【図６】  図１の挿脱装置におけるロック及びエジェクト機構のロック状態を示した拡大平面図である。
【図７】  図１の挿脱装置におけるロック及びエジェクト機構のエジェクト過程を示した拡大平面図である。
【図８】  従来のＩＣカードの挿脱装置を示した斜視図である。
【符号の説明】
１                      ＩＣカード
１ａ                    コーナー傾斜部
１００                  ハウジンク
１１０                  フレーム部分
１１１ａ，１１１ｂ      長手方向フレーム部
１１１ｃ                底フレーム部
１１４ａ                ガイドロッド部
１１３                  ガイド溝
１２０                  底面
２００                  カバー
２１０                  弾性押圧片
３００                  ロック及びエジェクト機構
３１０                  スライダ
３１３ａ                斜面部
３２０                  附勢手段
３３０                  概略ハート形状のカム溝
３４０                  バネピン
４１０，４２０，４３０  バネ金具
４１１，４２１，４３１  弾性押圧片
【図１】
0003927004.tif 000002
【図２】
0003927004.tif 000003
【図３】
0003927004.tif 000004
【図４】
0003927004.tif 000005
【図５】
0003927004.tif 000006
【図６】
0003927004.tif 000007
【図７】
0003927004.tif 000008
【図８】
0003927004.tif 000009